(57)【要約】      （修正有）【課題】使用済みの割り箸を炭化し、他の素材と共に焚き付け材として使用する袋入り着火材を提供する。【解決手段】紙等の可燃性の袋本体１に、焚き付け材として、乾燥した樹木の葉２を単独に、或いは、乾燥した樹木の葉２を燃焼可能な小袋Ａで包み、これらと、使用済みの割り箸を炭化させた使用済み割箸炭３を、袋本体１の底部あるいは底部付近に入れ、上部には、雑木炭４を入れて袋本体１を座布団状に形成したことを特徴とする袋入り着火材から構成される。【選択図】図３
0003159621.tif 000002
【実用新案登録請求の範囲】
【請求項１】
紙等の可燃性の袋本体（１）内に、焚き付け材として、乾燥した樹木の葉（２）、或いは、燃焼可能な小袋（Ａ）で包んだ該樹木の葉（２）と、使用済みの割り箸を炭化させた使用済み割箸炭（３）を、袋本体（１）の底部並びに底部付近に入れ、袋本体（１）の上部には、雑木炭（４）を、それぞれ適宜な量を入れて袋本体（１）を座布団状に形成したことを特徴とする袋入り着火材。
【考案の詳細な説明】
【技術分野】
【０００１】
この考案は、袋入り着火材であって、特に、使用済みの割り箸を炭化し、他の複数の素材と共に袋詰めにして焼き肉のバーベキュー等を行う際の袋入り着火材に関するものである。
【背景技術】
【０００２】
全国各地の飲食店で、毎日のように使用されている大量の割り箸は、使用後には、通常、残飯等の食物残渣と共に産業廃棄物として一体に焼却されており、ＣＯ2 発生の原因にもなっている。
【０００３】
しかも、近年、地球環境の保護のため、割り箸の原料となる発展途上国での木材の伐採が禁止される傾向にあり、割り箸の入手は困難とされている。
【０００４】
このため、使用済みの割り箸の有効利用が、種々考えられているが、他の素材に再利用とする場合には、割り箸に付着した食物残渣を綺麗に取り除かなければならず、大量の使用済みの割り箸を処理することは、極めて煩雑であり、手間がかかる作業であり、その上経費もかかるものであった。
【０００５】
そこで、この大量に発生する使用済みの割り箸を簡単に再利用する手段として、割り箸の形状が細くて適宜な長さを有する部材であるため、これを炭にして焚き付け材の一種としてしまうことを考案し、さらに、この炭となった使用済みの割り箸の他に、焚き付けとし、他の着火材も付加して袋体に収納する袋入り着火材を考案した。
【０００６】
ところで、炭に直接ふれ、手や衣類を汚すことのないようテーパ状のカップに小粒の炭と普通の大きさの炭とを交互に入れた、カップ入り炭は存在している。例えば、特許文献１のように。
【０００７】
また、燃料小箱として一辺１５ｃｍのボール紙製の小箱に燃料用炭の着火材を入れたものも存在している。例えば、特許文献２のように。
【先行技術文献】
【特許文献】
【０００８】
【特許文献１】特開平１１−１０６７７１号公報
【特許文献２】登録第３１１８４５９号実用新案公報
【０００９】
しかし、前述のカップ炭は、カップの口縁部が焜炉の口径に適合するよう構成されたものであり、焜炉以外の調理器に使用する場合にはかえって不便であり、また、上述の燃料小箱にしても、該箱内にポリエチレン袋を介して大径木炭等の燃料を箱の高さの半分まで詰め、上半分には小径木炭、木屑丸めた紙屑等を詰め、小箱には小窓を形成し、該小窓から硫酸紙を引き出すよう構成されたものであり、その構造が複雑であり、しかも、それに伴いコスト高となるものであった。
【考案の概要】
【考案が解決しようとする課題】
【００１０】
そこで、この考案の課題は、従来、単に産業廃棄物として焼却処分されていた使用済みの割り箸の形状が、着火しやすい形状であることに着目してこれを炭化し、焚き付け材として、他の着火材や木炭を付加して袋に一体に入れることにより、燃料に着火しやすい袋入り着火材を開発・提供することにある。
【課題を解決するための手段】
【００１１】
この考案による課題を解決するための手段として、紙等の可燃性の袋本体内に、焚き付け材として、乾燥した樹木の葉を、或いは、燃焼可能な小袋で包んだ該樹木の葉と、使用済みの割り箸を炭化させた使用済み割箸炭と、その他雑木炭とを一体に収納して、袋本体を座布団状に形成した袋入り着火材としたものである。
【考案の効果】
【００１２】
この考案によると、紙等の可燃性の袋本体（１）に、使用済み割箸炭（３）を焚き付け材にし、さらに、乾燥した樹木の葉（２）単独、或いは、乾燥した樹木の葉（２）を燃焼可能な小袋（Ａ）で包んだものを袋本体（１）の底部、あるいは底部付近に設け、その上部に雑木炭（４）を入れており、従って、袋本体（１）の下端部にマッチ等で着火することにより、先ず、燃えやすい紙や乾燥した樹木の葉（２）が燃え、次に、これらが使用済み割箸炭（３）に燃え移り、さらに上部の雑木炭（４）が燃えることとなり、着火が確実に行え、また、袋本体（１）は、座布団状に形成したため、バーベキュー用の台の炭の載置部と上部に設けた焼き網との間に、そのまま載置できる等極めて有益なる効果を奏するものである。
【００１３】
また、飲食店の有料で廃棄・焼却されていた使用済みの割り箸が、着火し易い新たな燃料の焚き付け材として再利用出来るものであり、費用は安価であり、無駄なく資源の再利用ができる等の効果も有する。
【図面の簡単な説明】
【００１４】
【図１】この考案の一実施例を示す説明図である。
【図２】この考案の一実施例を示す斜視図である。
【図３】この考案の使用状態の一実施例を示す一部欠截正面図である。
【考案を実施するための形態】
【００１５】
以下、この考案の好適な実施の形態について述べると、紙等の可燃性の袋本体内に、焚き付け材として、乾燥した樹木の葉を、或いは、燃焼可能な小袋に包んだ該樹木の葉と、これらと使用済みの割り箸を炭化した使用済み割箸炭とを入れ、且つ、これに雑木炭とを収納して、袋本体を座布団状に形成した袋入り着火材から構成される。
【実施例】
【００１６】
この考案の一実施例を図面に従って詳細に説明すると、紙等の可燃性の袋本体（１）に、焚き付け材として、乾燥した樹木の葉（２）を単独か、或いは、乾燥した樹木の葉（２）を燃焼可能な小袋（Ａ）で包み、これらと、使用済みの割り箸を炭化させた使用済み割箸炭（３）を、袋本体（１）の底部に入れ、上部には、雑木炭（４）を入れたことを特徴とする袋入り着火材から構成されるものである。
【００１７】
尚、紙等の可燃性の袋本体（１）の一例としては、矩形状の袋であって、上部に開閉可能な挿入口を設けたものであり、袋内に上記焚き付け材や雑木炭（４）を入れた後は閉塞するものであるが、この形状に限定されることはない。
【００１８】
また、乾燥した樹木の葉（２）とは、広葉樹の葉はもとより、針葉樹の葉も含み、その一例としては、杉の葉であり、場合によっては、他の針葉樹であるマツ科、スギ科、ヒノキ科、イチイ科、イヌガヤ科の葉を乾燥させたものであってもよい。
【００１９】
尚、乾燥した樹木の葉（２）は、そのままで袋本体（１）に入れてもよいし、また、乾燥した樹木の葉（２）を燃焼可能な小袋（Ａ）でくるんだものを用いてもよいし、燃焼可能な小袋（Ａ）で形成した中に乾燥した樹木の葉（２）を入れることにより、更に燃えやすくするよう構成してもよい。
【００２０】
さらに、袋本体（１）内の各着火材の配置は、下部に、先ず、焚き付け材として乾燥した樹木の葉（２）、乾燥した樹木の葉（２）を燃焼可能な小袋（Ａ）で包むか、あるいは燃焼可能な小袋（Ａ）と使用済みの割り箸を炭化させた使用済み割箸炭（３）を入れ、さらに上部に、雑木炭（４）を収納するため、使用する際には、先ず、袋本体（１）の下部にマッチ等で着火し、燃えた袋本体（１）は、乾燥した樹木の葉（２）や使用済み割箸炭（３）である，焚き付け材に燃え移って燃え、さらに、雑木炭（４）に燃え移ることにより、確実に燃焼できるものである。
【００２１】
尚、使用済みの割り箸を、大量に回収する手段としては、各飲食店等に専用の回収ボックスを設置し、ある程度溜まると、各飲食店から回収して、炭焼き小屋にて大量に集めて焼いた後、他の部材と共に袋詰め作業を行い製品とするものであり、これらの過程で雇用が生まれ、これにより地域全体を活気付つけるものである。
【産業上の利用可能性】
【００２２】
この考案の着火材用袋の技術を確立し、この燃料の着火材用袋を実施・販売することにより、産業上利用可能性を有するものである。
【符号の説明】
【００２３】
１  袋本体
２  乾燥した樹木の葉
３  使用済み割箸炭
４  雑木炭
Ａ  燃焼可能な小袋
【図１】
0003159621.tif 000003
【図２】
0003159621.tif 000004
【図３】
0003159621.tif 000005